(57)【特許請求の範囲】
【請求項１】
支点部に着脱自在且つ回転自在に軸着されるアームと、このアームに装着された駆動部と、この駆動部の回転軸に取り付けられてこの駆動部に駆動されて回転し、且つこのアームを前記支点部に軸着した状態で水路に設置された扉体の操作ハンドルに当接する回転車と、この駆動部のスイッチとを備え、前記アームの握り部を保持して前記回転車を前記操作ハンドルに押し付けることにより、この操作ハンドルを摺接摩擦力により回転させて前記扉体を作動させることを特徴とする制水用ゲートの扉体操作ハンドルの携帯式回転装置。
【請求項２】
前記アームは前記支点部に上下方向に回転自在に軸着され、且つ軸着した状態で前記回転車は前記操作ハンドルの真上にあって前記操作ハンドルに当接することを特徴とする請求項１記載の制水用ゲートの扉体操作ハンドルの携帯式回転装置。
【発明の詳細な説明】
【０００１】
【産業上の利用分野】
本発明は、農業用水路などの各種水路に設置される制水用ゲートの扉体操作ハンドルの携帯式回転装置に関するものである。
【０００２】
【従来の技術】
農業用水路などの各種水路に設置された制水用ゲートの扉体は、適宜操作されて水路を開閉するようになっている。扉体としては、昇降式扉体や起伏式（回転式）扉体などの様々な型式のものがあるが、何れも、水路上に設けられた操作ハンドルを回転操作することにより、扉体を昇降あるいは回転させるなどして作動させるようになっている。
【０００３】
大河川などに設置される大型の制水用ゲートの場合は、電源が備えられているので、扉体は動力を用いて作動される。一方、農業用水路などの小水路に設置される小型の制水用ゲートの場合は、一般に電源がないことから、扉体は操作ハンドルを手動で回転操作することにより作動される。
【０００４】
【発明が解決しようとする課題】
しかしながら、操作ハンドルを手動的に回転操作することは面倒であり、またかなりの重労働であることから、動力を用いて簡単に回転操作ができる装置の実現が望まれていた。
そこで本発明は、扉体の操作ハンドルを動力を用いて簡単に回転させることができる制水用ゲートの扉体操作ハンドルの携帯式回転装置を提供することを目的とする。
【０００５】
【課題を解決するための手段】
このために本発明は、支点部に着脱自在且つ回転自在に軸着されるアームと、このアームに装着された駆動部と、この駆動部の回転軸に取り付けられてこの駆動部に駆動されて回転し、且つこのアームを前記支点部に軸着した状態で水路に設置された扉体の操作ハンドルに当接する回転車と、この駆動部のスイッチとを備え、前記アームの握り部を保持して前記回転車を前記操作ハンドルに押し付けることにより、この操作ハンドルを摺接摩擦力により回転させて前記扉体を作動させるようにしたものである。
また好ましくは、前記アームは前記支点部に上下方向に回転自在に軸着され、且つ軸着した状態で前記回転車は前記操作ハンドルの真上にあって前記操作ハンドルに当接するものである。
【０００６】
【作用】
上記構成によれば、アーム１１を支点部８に軸着し、スイッチ１６を投入して回転車１４を回転させながら操作ハンドル６に押し付けると、その摺接摩擦力により操作ハンドル６は回転し、扉体１は作動する。
【０００７】
【実施例】
次に、図面を参照しながら本発明の実施例を説明する。図１は制水用ゲートの正面図である。１は水路に設置された扉体であり、その上面中央にはねじ棒から成るシャフト２が立設されている。３は水路の側壁上に立設された支柱であり、その上面には天板４が架設されている。天板４の上面中央にはギヤボックス５が設置されており、シャフト２の上端部はギヤボックス５を貫通している。６はギヤボックス５に設けられた操作ハンドルである。ギヤボックス５の内部にはシャフト２を上下動させるためのギヤユニットが内蔵されており、操作ハンドル６を回転操作するとシャフト２は昇降し、シャフト２の下端部に結合された扉体１も昇降する。なおギヤユニットは周知機構であり、その説明は省略する。
【０００８】
ギヤボックス５の側部の天板４上にはカギ形の支柱７が立設されている。支柱７の先端部には支点部としてのトグルピン８が取り付けられている。次に図２および図３を参照して、このトグルピン８に軸着される携帯式回転装置について説明する。図２において、１０は携帯式回転装置であって、以下のように構成されている。１１は中空パイプから成るアームであり、その一端部には水平なパイプ９が装着されている。アーム１１の中央部下面には取付金具１２を介してモータから成る駆動部１３が装着されている。駆動部１３の回転軸にはＶプーリから成る回転車１４が取り付けられている。１７は携帯式バッテリーであって、コード１８を介して駆動部１３に着脱自在に接続される。
【０００９】
図３は、支柱７の先端部に水平な姿勢で取り付けられたトグルピン８と、このトグルピン８に着脱自在に軸着されるパイプ９を示している。図３において鎖線で示すように、パイプ９を横方向からトグルピン８に挿着することにより、アーム１１の後端部はトグルピン８に上下方向に回転自在に軸着され、その状態で、図２に示すように回転車１４は操作ハンドル６の真上にあって操作ハンドル６に当接する。図３において、８ａはトグルピン８の先端部に軸着されたピンであり、このピン８ａを実線位置から鎖線位置へ回転させることにより、パイプ９の抜け止めとなる。
【００１０】
アーム１１の先端部はグリップ１５になっており、グリップ１５の手前には駆動部１３を制御するためのスイッチ１６が設けられている。このスイッチ１６は３点スイッチであって、駆動部１３の正回転と逆回転およびオフを切り替えることができる。操作者がグリップ１５を手に保持して下方へ押圧すると、回転車１４は操作ハンドル６に強く押し付けられる（図２の矢印を参照）。
【００１１】
次に取り扱い動作について説明する。扉体１を引き上げるときは、図２に示すようにアーム１１の後端部のパイプ９をトグルピン８に挿着する。次にグリップ１５を手に保持してスイッチ１６を正回転側に投入すると、駆動部１３は駆動して回転車１４は正回転する。そこでグリップ１５を下方へ押え付ければ、アーム１１はトグルピン８を中心に回転可能なため、回転車１４は操作ハンドル６に強く摺接し、その摺接摩擦力により操作ハンドル６は回転してシャフト２は上昇し、扉体１も上昇し水路は開く。また扉体１を下降させて水路を閉じるときは、スイッチ１６を逆回転側に投入し、同様にして回転車１４を操作ハンドル６に摺接させて操作ハンドル６を逆回転させればよい。
【００１２】
この携帯式回転装置１０は小型・軽量であり、現場に自由に持参して手軽に使用することができる。なお上記実施例は、昇降式扉体を備えた制水用ゲートを例にとって説明したが、本発明の携帯式回転装置は、起伏式扉体などの他の型式の制水用ゲートにも適用できる。またこの携帯式回転装置は、ポールなどの支点部を付加することにより、既存の制水用ゲートにも適用できる。
【００１３】
また上記実施例では、回転車１４は操作ハンドル６の真上に位置させ、回転車１４を下方へ押え付けることにより操作ハンドル６に押し付けているが、回転車１４の押し付け方向は現場条件などに応じて自由に設定できるものであって、例えば回転車１４を操作ハンドル６の側方へ位置させて、横方向へ動かすことにより操作ハンドル６に押し付けるようにしてもよい。
【００１４】
【発明の効果】
以上説明したように本発明の携帯式回転装置１０は手軽に現場へ持ち運びすることができ、アーム１１を支点部８に軸着して握り部１５を保持し、回転車１４を駆動部１３により回転させながら水路に設置された扉体１の操作ハンドル６に強く押し付けることにより、操作ハンドル６を回転させて扉体１を簡単に作動させることができる。またトグルピン８などの支点部を付加するだけで、既存の制水用ゲートにも簡単に適用できる。
【図面の簡単な説明】
【図１】制水用ゲートの正面図
【図２】携帯式回転装置の側面図
【図３】携帯式回転装置の正面図
【符号の説明】
１  扉体
６  操作ハンドル
８  トグルピン（支点部）
１０  携帯式回転装置
１１  アーム
１３  駆動部
１４  回転車
１６  スイッチ
【図１】
0003571377.tif 000002
【図２】
0003571377.tif 000003
【図３】
0003571377.tif 000004